【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
対応するゲームなしで表示できるように、ライブゲームプレイの時間間隔を表すゲームファイルをレンダリングするための方法であって、
ａ）レンダリングシステムを用いて、インターネット経由でゲームファイルを自動的に受け入れるステップであって、前記レンダリングシステムが前記ゲームファイルを音声およびビデオとしてレンダリング可能であり、前記レンダリングシステムがさらに前記音声およびビデオをオーディオ／ビデオファイルとしてキャプチャ可能であるステップと、
ｂ）前記レンダリングシステムで、前記ゲームファイルを音声およびビデオとして自動的にレンダリングするステップと、
ｃ）前記レンダリングシステムで、前記音声およびビデオをオーディオ／ビデオファイルとして自動的にキャプチャするステップと、
ｄ）前記レンダリングシステムで、前記オーディオ／ビデオファイルを、インターネットを経由して自動的に提供するステップとを含み、
前記オーディオ／ビデオファイルの受取り人が、前記ゲームのコピーを必要とする以外の方法で、前記ゲームファイルによって表されるアクションを表示できる方法。
【請求項２】
ｅ）前記レンダリングシステムで、前記ゲームファイルの前記レンダリングのための詳細を含む注文を自動的に引き受けるステップをさらに含み、
ステップｂ）が前記注文に応じて実行され、ステップｂ）およびｃ）が前記詳細に一致する、請求項１に記載の方法。
【請求項３】
前記詳細が解像度を指定する、請求項２に記載の方法。
【請求項４】
前記詳細がオーディオ／ビデオファイル形式を指定する、請求項２に記載の方法。
【請求項５】
前記受け入れられたゲームファイルが、編集されている、請求項１に記載の方法。
【請求項６】
対応するゲームなしで表示できるように、ライブゲームプレイの時間間隔を表すゲームファイルをレンダリングするためのシステムであって、
インターネットと通信をし、インターネットを経由してゲームファイルを受け入れ可能であり、音声およびビデオをオーディオ／ビデオファイルとしてキャプチャ可能な、少なくとも１台のコンピュータと、
前記ゲームファイルを音声およびビデオとしてレンダリング可能であり、前記少なくとも１台のコンピュータの制御下にある、ゲーム機とを備え、
前記少なくとも１台のコンピュータがインターネットを経由してゲームファイルを受け入れ、
前記ゲーム機が前記ゲームファイルを前記少なくとも１台のコンピュータから受信し、
前記ゲーム機が前記ゲームファイルを音声およびビデオとしてレンダリングし、
前記少なくとも１台のコンピュータが前記音声およびビデオをオーディオ／ビデオファイルとしてキャプチャし、
前記オーディオ／ビデオファイルが前記少なくとも１台のコンピュータによりインターネットを経由して提供され、
前記オーディオ／ビデオファイルの受取り人が、前記ゲームのコピーを必要とする以外の方法で、前記ゲームファイルによって表されるアクションを表示できるシステム。
【請求項７】
前記少なくとも１台のコンピュータが、前記ゲームファイルの前記レンダリングのための詳細を含む注文を受信し、前記オーディオ／ビデオファイルが前記詳細に一致する、請求項６に記載のシステム。
【請求項８】
前記詳細が解像度を指定し、前記解像度が前記ゲーム機に提供され、前記ゲーム機が前記解像度で前記ゲームファイルをレンダリングする、請求項７に記載のシステム。
【請求項９】
前記詳細がオーディオ／ビデオファイル形式を指定し、前記オーディオ／ビデオファイルが前記ファイル形式で提供される、請求項７に記載のシステム。
【請求項１０】
前記受け入れられたゲームファイルが、編集されている、請求項６に記載のシステム。
【手続補正２】
【補正対象書類名】明細書
【補正対象項目名】００１９
【補正方法】変更
【補正の内容】
【００１９】
本発明は、編集されているか否かに関わらず、説明したようなゲームファイルが、類似のゲーム機で、またはそうでないかに関わらず、それらが記録されたゲームの外部での表示に適したオーディオ／ビデオファイルとして、ゲームの再生をレンダリングできるリモートサーバーにアップロードできるようにする。特に、レンダリングされたファイルは、例えば、インターネットを経由して分散でき、そして、例えば、パーソナルコンピュータ上で、例えば、ウェブブラウザ内に表示できる。結果として生じたビデオファイルは、（必要に応じて、トランスコーディングを含み得る、ＤＶＤオーサリングソフトウェアを用いて）ＤＶＤに転送できるか、もしくはビデオファイルなどの他のファイルと結合するためのビデオ編集ソフトウェアを用いて編集でき、かつ／またはオーディオトラックが変更され得る。
本願明細書は、例えば、以下の項目も提供する。
（項目１）
対応するゲームなしで表示できるように、ライブゲームプレイの時間間隔を表すゲームファイルをレンダリングするための方法であって、
ａ）レンダリングシステムを用いて、インターネット経由でゲームファイルを自動的に受け入れるステップであって、前記レンダリングシステムが前記ゲームファイルを音声およびビデオとしてレンダリング可能であり、前記レンダリングシステムがさらに前記音声およびビデオをオーディオ／ビデオファイルとしてキャプチャ可能であるステップと、
ｂ）前記レンダリングシステムで、前記ゲームファイルを音声およびビデオとして自動的にレンダリングするステップと、
ｃ）前記レンダリングシステムで、前記音声およびビデオをオーディオ／ビデオファイルとして自動的にキャプチャするステップと、
ｄ）前記レンダリングシステムで、前記オーディオ／ビデオファイルを、インターネットを経由して自動的に提供するステップとを含み、
前記オーディオ／ビデオファイルの受取り人が、前記ゲームのコピーを必要とする以外の方法で、前記ゲームファイルによって表されるアクションを表示できる方法。
（項目２）
ｅ）前記レンダリングシステムで、前記ゲームファイルを前記レンダリングするための詳細を含む注文を自動的に引き受けるステップをさらに含み、
ステップｂ）が前記注文に応じて実行され、ステップｂ）およびｃ）が前記詳細に一致する、項目１に記載の方法。
（項目３）
前記詳細が解像度を指定する、項目２に記載の方法。
（項目４）
前記詳細がオーディオ／ビデオファイル形式を指定する、項目２に記載の方法。
（項目５）
対応するゲームなしで表示できるように、ライブゲームプレイの時間間隔を表すゲームファイルをレンダリングするためのシステムであって、
インターネットと通信をし、インターネットを経由してゲームファイルを受け入れ可能であり、音声およびビデオをオーディオ／ビデオファイルとしてキャプチャ可能な、少なくとも１台のコンピュータと、
前記ゲームファイルを音声およびビデオとしてレンダリング可能であり、前記少なくとも１台のコンピュータの制御下にある、ゲーム機とを備え、
前記少なくとも１台のコンピュータがインターネットを経由してゲームファイルを受け入れ、
前記ゲーム機が前記ゲームファイルを前記少なくとも１台のコンピュータから受信し、
前記ゲーム機が前記ゲームファイルを音声およびビデオとしてレンダリングし、
前記少なくとも１台のコンピュータが前記音声およびビデオをオーディオ／ビデオファイルとしてキャプチャし、
前記オーディオ／ビデオファイルが前記少なくとも１台のコンピュータによりインターネットを経由して提供され、
前記オーディオ／ビデオファイルの受取り人が、前記ゲームのコピーを必要とする以外の方法で、前記ゲームファイルによって表されるアクションを表示できるシステム。
（項目６）
前記少なくとも１台のコンピュータが、前記ゲームファイルの前記レンダリングのための詳細を含む注文を受信し、前記オーディオ／ビデオファイルが前記詳細に一致する、項目５に記載のシステム。
（項目７）
前記詳細が解像度を指定し、前記解像度が前記ゲーム機に提供され、前記ゲーム機が前記解像度で前記ゲームファイルをレンダリングする、項目６に記載のシステム。
（項目８）
前記詳細がオーディオ／ビデオファイル形式を指定し、前記オーディオ／ビデオファイルが前記ファイル形式で提供される、項目６に記載のシステム。
【手続補正３】
【補正対象書類名】明細書
【補正対象項目名】００４１
【補正方法】変更
【補正の内容】
【００４１】
ゲームファイルリスト２６０内の各エントリーは、タイトル２７０、作成日２７２、作成者のスクリーンネーム２７３、評価２７１、ダウンロードカウント２７５、継続時間２７６、およびゲームタイプ２７７、２７７´、および２７７″を含み得る。ゲームファイルは、アイコン２８１によって表すことができるが、アイコンは、任意のレンダリングジョブが発行される前に必要なので、アイコン２８１は任意のゲームファイルに対して包括的であり得るか（図示せず）、または特定の環境を用いる任意のゲームファイルに対して包括的であり得、アイコン２８１は、マップ属性２７８によって識別されるように「Ｔｈｅ  Ｐｉｔ」マップである。従って、ゲームファイルエントリー２６１および２６３が共通のマップ属性２７８´および２７８″（共に「Ｖａｌｈａｌｌａ」）を有するこの例では、それらに対応するアイコン２８１´および２８１″は同一である。しかし、エントリー２６２は、異なるマップ属性２７８（「Ｔｈｅ  Ｐｉｔ」）を有するので、そのアイコン２８１は異なっている。この図には示していないが、アイコン２８１、２８１´、２８１″は、ゲームタイプ属性２７７、２７７´、２７７″によって、代わりに、またはさらに区別され得る。
【手続補正４】
【補正対象書類名】明細書
【補正対象項目名】００４２
【補正方法】変更
【補正の内容】
【００４２】
ゲームファイルリスト２６０内の各エントリーには、例えば、ゲームファイルダウンロードボタン２７４（関連付けられたゲームファイルを、ボタン２７４にリストされた対応するゲーム（この場合は「Ｈａｌｏ  ３」）内で後に再生するために、ゲーム機１０１〜１０４に入れるため）などの制御も添付されている。作成日２７２は、元のゲームファイルが記録された日付、すなわち、ゲームが最初にプレイされた日付であり、ファイルが編集された日付（ファイルが編集されている場合）でも、ファイルがアップロードされた日付でもないことに留意されたい。これら他の日付も、例えば「詳細」ボタン２７９から、表示されるか、または利用可能にされ得る。最後に、ファイルレンダリングボタン２８０は、関連するゲームファイルをレンダリングするトランザクションを開始するために提供される。